(57)【要約】【課題】簡単な設備で、より低コストにて、高精度に、空き駐車位置に関する情報を提供できる駐車場管理システム。【解決手段】駐車場の複数の駐車位置にそれぞれ設置され、当該設置されている各駐車位置を特定する情報が複数色の二次元の配列で表わされているカラーバーコード。駐車場に配備されていて、駐車場の複数の駐車位置を同時に撮影する撮像手段。撮像手段に付帯して配備されていて撮像手段で取得した複数の駐車位置が同時に撮影されている画像情報を、ネットワークを介してサーバ装置へ送信する基地局情報送受信手段。サーバ装置に配備されていて、複数の駐車位置が同時に撮影されている画像情報にカラーバーコードの画像が含まれている場合に当該カラーバーコードによって特定される駐車位置を認識する空き駐車位置認識手段を備えている駐車場管理システム。【選択図】図４
2010250394.tif 000002
【特許請求の範囲】
【請求項１】
駐車場の複数の駐車位置にそれぞれ設置されているカラーバーコードであって、当該設置されている各駐車位置を特定する情報が複数色の二次元の配列で表わされているカラーバーコードと、
前記駐車場に配備されていて、前記駐車場の複数の駐車位置を同時に撮影する撮像手段と、
前記撮像手段に付帯して配備されていて、前記撮像手段で取得した前記複数の駐車位置が同時に撮影されている画像情報を、ネットワークを介してサーバ装置へ送信する基地局情報送受信手段と、
前記サーバ装置に配備されていて、前記複数の駐車位置が同時に撮影されている画像情報に前記カラーバーコードの画像が含まれている場合に、当該カラーバーコードによって特定される駐車位置を認識する空き駐車位置認識手段と、
当該空き駐車位置認識手段によって認識された駐車位置に関する情報をネットワークを介して前記基地局情報送受信手段へ送信するサーバ装置送受信手段と
を備えている駐車場管理システム。
【請求項２】
前記撮像手段はあらかじめ定められている時間間隔ごとに前記駐車場の複数の駐車位置を同時に静止画として撮影することを特徴とする請求項１記載の駐車場管理システム。
【請求項３】
前記駐車場に画像情報表示手段が配備されており、
当該画像情報表示手段は、前記基地局情報送受信手段で取得した、前記空き駐車位置認識手段によって認識された駐車位置に関する情報を画像情報として表示する
ことを特徴とする請求項１又は２記載の駐車場管理システム。
【請求項４】
前記駐車場に音声情報出力手段が配備されており、
当該音声情報出力手段は、前記空き駐車位置認識手段によって認識された駐車位置に関する情報を音声情報として出力する
ことを特徴とする請求項１乃至３のいずれか一項記載の駐車場管理システム。
【発明の詳細な説明】
【技術分野】
【０００１】
この発明は、駐車場管理システムに関し、特に、低コストで効率よく駐車場における空き駐車位置を特定し、空き駐車位置に関する情報を提供できる駐車場管理システムに関する。
【背景技術】
【０００２】
低コストで効率よく駐車場における空き駐車位置を特定し、空き駐車位置に関する情報を提供する駐車場管理システムに関しては従来から種々の提案が行われている。
【０００３】
例えば、複数の駐車スペースに設けられたＲＦＩＤタグと、当該ＲＦＩＤタグと交信するリーダと、前記リーダと前記ＲＦＩＤタグとの交信結果に応じて前記駐車スペースが空いているか否かを判断するコンピュータを備えている駐車場管理システムが提案されている（特許文献１）。
【先行技術文献】
【特許文献】
【０００４】
【特許文献１】特開２００８−２７６５１６号公報
【発明の概要】
【発明が解決しようとする課題】
【０００５】
特許文献１記載の発明の場合、駐車スペースにＲＦＩＤタグを設け、駐車場内に設けられたリーダとＲＦＩＤタグとの交信結果に基づいて駐車場の管理を行なうことにより駐車場の空きスペースを簡単に把握することができる、とされているが、ＲＦＩＤタグと交信するリーダの設置などが不可欠であるため、コストの低下に関しては改善すべき余地があった。
【０００６】
また、駐車スペースに設置されたＲＦＩＤタグと駐車場内に設けられたリーダとの間の交信状態によっては正確な状況把握が難しくなるという問題もあった。
【０００７】
そこで、本発明は、簡単な設備で、より低コストにて、高精度に、空き駐車位置に関する情報を提供できる駐車場管理システムを提供することを目的にしている。
【課題を解決するための手段】
【０００８】
請求項１記載の発明は、
駐車場の複数の駐車位置にそれぞれ設置されているカラーバーコードであって、当該設置されている各駐車位置を特定する情報が複数色の二次元の配列で表わされているカラーバーコードと、
前記駐車場に配備されていて、前記駐車場の複数の駐車位置を同時に撮影する撮像手段と、
前記撮像手段に付帯して配備されていて、前記撮像手段で取得した前記複数の駐車位置が同時に撮影されている画像情報を、ネットワークを介してサーバ装置へ送信する基地局情報送受信手段と、
前記サーバ装置に配備されていて、前記複数の駐車位置が同時に撮影されている画像情報に前記カラーバーコードの画像が含まれている場合に、当該カラーバーコードによって特定される駐車位置を認識する空き駐車位置認識手段と、
当該空き駐車位置認識手段によって認識された駐車位置に関する情報をネットワークを介して前記基地局情報送受信手段へ送信するサーバ装置送受信手段と
を備えている駐車場管理システム
である。
【０００９】
請求項２記載の発明は、
前記撮像手段はあらかじめ定められている時間間隔ごとに前記駐車場の複数の駐車位置を同時に静止画として撮影することを特徴とする請求項１記載の駐車場管理システム
である。
【００１０】
請求項３記載の発明は、
前記駐車場に画像情報表示手段が配備されており、
当該画像情報表示手段は、前記基地局情報送受信手段で取得した、前記空き駐車位置認識手段によって認識された駐車位置に関する情報を画像情報として表示する
ことを特徴とする請求項１又は２記載の駐車場管理システム
である。
【００１１】
請求項４記載の発明は、
前記駐車場に音声情報出力手段が配備されており、
当該音声情報出力手段は、前記空き駐車位置認識手段によって認識された駐車位置に関する情報を音声情報として出力する
ことを特徴とする請求項１乃至３のいずれか一項記載の駐車場管理システム
である。
【発明の効果】
【００１２】
この発明によれば、簡単な設備で、より低コストにて、高精度に、空き駐車位置に関する情報を提供できる。
【図面の簡単な説明】
【００１３】
【図１】（ａ）、（ｂ）はこの発明のシステムに使用されるカラーバーコードの一例を説明する平面図。
【図２】この発明のシステムの概略構成の一例を表わす図。
【図３】この発明のシステムが実施されている状態の一例を説明する平面図。
【図４】この発明のシステムが実施されている状態の他の例を説明する平面図。
【図５】この発明のシステムを用いた駐車場管理方法の一例を説明する流れ図。
【発明を実施するための形態】
【００１４】
この発明の駐車場管理システムにおいては、駐車場の複数の駐車位置にそれぞれ設置されているカラーバーコードであって、当該設置されている各駐車位置を特定する情報が複数色の二次元の配列で表わされているカラーバーコードが使用される。
【００１５】
前記カラーバーコードは、図１図示のように黒い下地に最大で８色になる複数の色が配列されている二次元のバーコードである。８色の場合、例えば、黒い下地に水色、紫色、黄色、緑色、赤色、青色、オレンジ色が配列されてバーコードが構成される。
【００１６】
例えば、図１（ａ）図示のカラーバーコード５０の場合には黒い下地５１に、上側の四角５２、５３、５４、５５が、例えば、青色、赤色、黄色、等の色になり、下側の８個の四角５６、５７、５８、５９、６０、６１、６２が、例えば、青色、赤色、黄色、等の色になる。この場合、４色×８×１行で６５８１パターンになる。図１（ｂ）図示のカラーバーコード５０ａの場合には黒い下地５１に、上側の四角５２、５３、５４、５５が、例えば、青色、赤色、黄色、等の色になり、その下の８個の四角５６〜６３が、例えば、青色、赤色、黄色、等の色になり、一番下側の８個の四角６４、６５、６６、６７、６８、６９、７０、７１、が、例えば、青色、赤色、黄色、等の色になる。この場合、４色×８×２行で４３００万パターンになる。
【００１７】
このような構成からなる、黒い下地に複数色が二次元に配列されているカラーバーコードは、読み取りを、従来から使用されている監視カメラ（ＩＴＶカメラ）などの撮像手段と、パーソナルコンピュータとで行うことができる。また、従来から使用されている撮像手段の撮影範囲内に複数のカラーバーコード５０、５０ａが含まれていても、従来から使用されている監視カメラ（ＩＴＶカメラ）のような撮像手段とパーソナルコンピュータとで当該複数のカラーバーコード５０、５０ａを一括して認識し、しかも、１秒間程度の極めて短時間のうちに精密に認識することが可能なバーコードである。更に、従来から使用されている監視カメラ（ＩＴＶカメラ）などの撮像手段の焦点があっていさえすれば２〜３０ｍ程度はなれているところに配置されているカラーバーコードを当該撮像手段と、パーソナルコンピュータとで認識することができるものである。
【００１８】
黒い下地に複数色が二次元に配列されているこのカラーバーコードにおける複数色の二次元の配列によって当該カラーバーコードが設置されている各駐車位置が特定される。例えば、東京都新宿区○丁目○番○号に所在する○○駐車場における１番（図３）の駐車位置である等の、駐車位置を特定する情報が、カラーバーコード５０、５０ａなどにおける複数色の二次元の配列で表わされる。
【００１９】
この発明の駐車場管理システムは、駐車場における複数の駐車位置を同時に撮影する撮像手段を備えている。この撮像手段によって、前記駐車場における複数の駐車位置が同時に撮影される。
【００２０】
この撮像手段としては監視カメラ（ＩＴＶカメラ）などを使用することができる。この監視カメラは従来から駐車場に設置されている監視カメラが解像度の高いものであれば、従来から設置されている監視カメラをそのまま使用することもできる。
【００２１】
この発明の駐車場管理システムは、更に、前記撮像手段に付帯して配備されていて、前記撮像手段で取得した前記複数の駐車位置が同時に撮影されている画像情報を、ネットワークを介してサーバ装置へ送信する基地局情報送受信手段を備えている。
【００２２】
ネットワークは、例えば、インターネットなどからなり、前記の基地局情報送受信手段は、例えば、前記撮像手段に付属されていて、撮像手段で取得した複数の駐車位置が同時に撮影されている画像情報をインターネットを介してサーバ装置へ送信する情報の入出力手段である。
【００２３】
この発明の駐車場管理システムでは、前記サーバ装置は、空き駐車位置認識手段と、サーバ装置送受信手段とを備えている。
【００２４】
空き駐車位置認識手段は、前記複数の駐車位置が同時に撮影されている画像情報に前記カラーバーコードの画像が含まれている場合に、当該カラーバーコードによって特定される駐車位置を認識する処理を行うもので、コンピュータのＣＰＵがＲＯＭ、ＲＡＭや、ハードディスクなどに格納されている所定のデータを利用し、所定のコンピュータプログラムに基づいてかかる処理動作を行なうものである。
【００２５】
前述したように、本発明のシステムにおいては、駐車場における複数の駐車位置に前述したカラーバーコードがそれぞれ設置されている。そして、黒い下地に複数色が二次元に配列されているカラーバーコードにおける、複数色の二次元の配列によって、当該カラーバーコードが設置されている各駐車位置が特定されている。
【００２６】
一方、前記サーバ装置が取得する駐車場に配備されている撮像手段で撮影した画像情報には複数の駐車位置が同時に撮影されている。
【００２７】
駐車位置に車が駐車している場合には当該駐車位置に設置されているカラーバーコードはその上に車が存在しているため画像情報に現れない。そこで、前記複数の駐車位置が同時に撮影されている画像情報に前記カラーバーコードの画像が含まれている場合、カラーバーコードを認識できる駐車位置には自動車が駐車していない、ということになる。すなわち、カラーバーコードを認識できる駐車位置は空いているということになる。
【００２８】
そこで、この場合に、空き駐車位置認識手段が、当該カラーバーコードにおける複数色の二次元の配列によって、当該カラーバーコードが設置されている駐車位置（すなわち、空いている駐車位置）を認識する処理を行うものである。これによって、自動車が駐車していない駐車位置（空いている駐車位置）がどこであるのかを正確に、短時間のうちに把握することができる。
【００２９】
前記のサーバ装置送受信手段は、インターネットなどのネットワークを介して、前記基地局情報送受信手段との間で情報の送受信、交信を行う情報の入出力手段である。
【００３０】
前記撮像手段はあらかじめ定められている時間間隔ごとに前記駐車場の複数の駐車位置を同時に静止画として撮影する形態にすることができる。
【００３１】
前記のカラーバーコードは１秒程度の短い時間で当該カラーバーコードにおける複数色の二次元の配列で表わされる情報を認識できるものであるが、常時観察を行う必要のない監視対象の場合には、１０分間隔、２０分間隔、等のあらかじめ定められた時間ごとに静止画の画像情報を撮影するだけのものにすることができる。
【００３２】
前記駐車場には画像情報表示手段を配備し、当該画像情報表示手段によって、前記基地局情報送受信手段で取得した、前記空き駐車位置認識手段によって認識された駐車位置に関する情報を画像情報として表示する形態にすることができる。
【００３３】
また、前記駐車場には音声情報出力手段を配備し、当該音声情報出力手段によって、前記空き駐車位置認識手段によって認識された駐車位置に関する情報を音声情報として出力する形態にすることができる。
【００３４】
前述したように、本発明のシステムにおいては、駐車場に配備されている撮像手段で撮影した画像情報（複数の駐車位置が同時に撮影されている）にカラーバーコードの画像が含まれている場合、サーバ装置の空き駐車位置認識手段が、カラーバーコードを認識できる駐車位置には自動車が駐車していないと判断し、当該カラーバーコードにおける複数色の二次元の配列によって、当該カラーバーコードが設置されている駐車位置を認識する処理を行い、これによって、自動車が駐車していない駐車位置がどこであるのかを正確に、短時間のうちに把握する。
【００３５】
そこで、サーバ装置の空き駐車位置認識手段が認識した自動車が駐車していない駐車位置に関する情報（すなわち、空いている駐車位置に関する情報や、空いている駐車位置が存在しないので満車であることを示す情報）を、前記の画像情報表示手段を介して文字情報で、あるいは前記の音声情報出力手段を介して音声情報で前記駐車場に出力することが可能になる。
【００３６】
以下、添付図面を参照して本発明の好ましい実施例を説明するが、本発明はこれに限られるものではなく、特許請求の範囲の記載から把握される技術的範囲において種々の形態に変更可能である。
【実施例】
【００３７】
駐車場４２の駐車領域４０、４１（図３）にそれぞれ複数存在している駐車位置には図１（ａ）、（ｂ）を用いて説明したカラーコードがそれぞれ設置されている。
【００３８】
図３図示の駐車場４２の駐車領域４０には数字１〜６、１４〜１９で示される１２個の駐車位置が存在し、各駐車位置にはカラーバーコード５０ｂなどがそれぞれ設置されている。
【００３９】
図３図示の駐車場４２の駐車領域４０においては、数字１〜５、１４〜１９で示される駐車位置に自動車が駐車しており、数字６で示される駐車位置は空いているので、当該駐車位置に設置されているカラーバーコード５０ｂが見えている。一方、駐車領域４１においては、数字７、８、数字１０〜１３、２０〜２５で示される駐車位置に自動車が駐車しており、数字９、２６で示される駐車位置は空いているので、当該駐車位置に設置されているカラーバーコード５０ｃ、５０ｄが見えている。
【００４０】
カラーバーコード５０ｂにおける複数色の二次元の配列によりカラーバーコード５０ｂが設置されている駐車位置が特定されている。
【００４１】
例えば、図３の駐車場４２が東京都新宿区○丁目○番○号に所在する○○駐車場である場合、カラーバーコード５０ｂにおける複数色の二次元の配列によりカラーバーコード５０ｂが設置されている駐車位置が「東京都新宿区○丁目○番○号に所在する○○駐車場における駐車番号６で示す駐車位置」である、カラーバーコード５０ｃにおける複数色の二次元の配列によりカラーバーコード５０ｃが設置されている駐車位置が「東京都新宿区○丁目○番○号に所在する○○駐車場における駐車番号９で示す駐車位置」である、カラーバーコード５０ｄにおける複数色の二次元の配列によりカラーバーコード５０ｄが設置されている駐車位置が「東京都新宿区○丁目○番○号に所在する○○駐車場における駐車番号２６で示す駐車位置」である、と認識されるようになっている。
【００４２】
この各カラーバーコード５０ｂ、５０ｃ、５０ｄにおけるそれぞれの複数色の二次元の配列に関する情報と、これによって特定される駐車位置に関する情報（「東京都新宿区○丁目○番○号に所在する○○駐車場における駐車番号６で示す駐車位置」、等々）が組み合わされて、後述するサーバ装置３３（図２）に付設されているデータベース３６に格納されている。
【００４３】
駐車場４２には２台のカメラ２８ａ、２８ｂが設置されている。カメラ２８ａは、駐車領域４０に存在する複数の駐車位置（図３では数字１〜６、１４〜１９で示されている複数の駐車位置）を同時に撮影する。一方、カメラ２８ｂは、駐車領域４１に存在する複数の駐車位置（図３では数字７〜１３、２０〜２６で示されている複数の駐車位置）を同時に撮影する。
【００４４】
図２図示のように、駐車場に設置されていて駐車場における複数の駐車位置を同時に撮影するカメラ２８には基地局装置２７が付設されており、基地局装置２７にはカメラ２８で撮影した複数の駐車位置が同時に撮影されている画像情報をインターネットなどのネットワーク３２を介してサーバ装置３３へ送信する基地局情報送受信手段３１が配備されている。
【００４５】
基地局情報送受信手段３１は、カメラ２８で撮影した複数の駐車位置が同時に撮影されている画像情報をネットワーク３２を介してサーバ装置３３へ送信する情報の入出力手段である。
【００４６】
カメラ２８は連続して動画像を撮影するものにし、基地局情報送受信手段３１からネットワーク３２を介してこの動画像がサーバ装置３３へ送信されるようにすることができる。
【００４７】
また、カメラ２８は、あらかじめ定められている時間間隔ごとに駐車場の複数の駐車位置を同時に静止画として撮影するものにし、基地局情報送受信手段３１からネットワーク３２を介してこの静止画がサーバ装置３３へ送信されるようにすることもできる。
【００４８】
前記のカメラ２８には更に、液晶表示手段のような画像情報表示手段２９、スピーカーのような音声情報出力手段３０が付設されている（図２）。画像情報表示手段２９は基地局装置２７の基地局情報送受信手段３１がネットワーク３２を介して取得した画像情報を表示するものである。音声情報出力手段３０は基地局装置２７の基地局情報送受信手段３１がネットワーク３２を介して取得した音声情報を出力するものである。
【００４９】
前記のようなカメラ２８、基地局情報送受信手段３１を備えている基地局装置２７、画像情報表示手段２９、音声情報出力手段３０が一体に組み込まれている装置構成にすることもできるもできる。
【００５０】
コンピュータからなるサーバ装置３３は、空き駐車位置認識手段３４と、サーバ装置送受信手段３５とを備えている。
【００５１】
空き駐車位置認識手段３４は、複数の駐車位置が同時に撮影されている画像情報にカラーバーコードの画像が含まれている場合に、当該カラーバーコードによって特定される駐車位置を認識する処理を行うものである。コンピュータのＣＰＵがＲＯＭ、ＲＡＭや、ハードディスクなどに格納されている所定のデータを利用し、所定のコンピュータプログラムに基づいてかかる処理動作を行なう。
【００５２】
なお、この処理動作の際、前述したように、データベース３６に格納されている、各カラーバーコードにおけるそれぞれの複数色の二次元の配列に関する情報と、これによって特定される駐車位置に関する情報との組み合わせに関する情報が参照される。
【００５３】
サーバ装置送受信手段３５は、インターネットなどのネットワーク３２を介して基地局情報送受信手段３１との間で情報の送受信、交信を行う情報の入出力手段である。
【００５４】
次に、図４、図５を用いて本発明の駐車場管理システムを用いた駐車場管理の方法の一例を説明する。
【００５５】
符号４９で示す駐車場に３台のカメラ２８ｃ、２８ｄ、２８ｅが配備されている。カメラ２８ｃは駐車領域４３、４６に設置されている２０個の駐車位置を撮影し、カメラ２８ｄは駐車領域４４、４７に設置されている２０個の駐車位置を撮影し、カメラ２８ｅは駐車領域４５、４８に設置されている２０個の駐車位置を撮影している。
【００５６】
図示していないが、各カメラ２８ｃ、２８ｄ、２８ｅが撮影した画像情報を、図２を用いて説明した基地局情報送受信手段３１、ネットワーク３２を介してサーバ装置３３に送信するようになっている。
【００５７】
各駐車位置（例えば、数字１〜１６で示されている駐車位置）には前述したように各駐車位置を特定する情報が複数色の二次元の配列で表わされているカラーバーコードがそれぞれ設置されている。
【００５８】
例えば、カラーバーコード５０ｅに表わされている複数色の二次元の配列によって、駐車場４９における駐車領域４３の駐車位置５番が特定され、カラーバーコード５０ｆに表わされている複数色の二次元の配列によって、駐車場４９における駐車領域４４の駐車位置１０番が特定される。
【００５９】
まず、カメラ２８ｃ、２８ｄ、２８ｅで撮影した各２０個の駐車位置が同時に撮影されている画像情報がネットワーク３２を介してサーバ装置３３へ送信される（Ｓ５０１）。
【００６０】
サーバ装置３３の空き駐車位置認識手段３４は、複数の駐車位置が同時に撮影されている画像情報にカラーバーコードの画像が含まれているか否かを判定する（Ｓ５０２）。
【００６１】
カラーバーコードの画像が含まれていない場合には、全ての駐車位置に車が駐車していることになるので、カラーバーコードの画像が含まれていない駐車領域（例えば、図４図示の例では、駐車領域４５、４７は満車であると判定し、その旨の情報を、サーバ装置送受信手段３５、ネットワーク３２を介して基地局情報送受信手段３１へ送る（Ｓ５０３）。
【００６２】
図２に示している基地局装置２７では、かかる情報を受け取った場合、画像表示手段２９ａに「駐車領域４５、４７は満車」という文字情報を表示させたり、音声情報出力手段３０ａにより「駐車領域４５、４７は満車」という音声情報を出力させる（Ｓ５０４）。
【００６３】
一方、カラーバーコードの画像が含まれている場合には、データベース３６に格納されている各カラーバーコードにおけるそれぞれの複数色の二次元の配列に関する情報と、これによって特定される駐車位置に関する情報との組み合わせに関する情報を参照して、車が駐車していない駐車位置（空いている駐車位置）を特定する（Ｓ５０５）。
【００６４】
図４図示の実施形態では、カメラ２８ｃが撮影した画像情報の中に含まれている駐車領域４３の画像の中にカラーバーコード５０ｅの画像が含まれている。また、カメラ２８ｄが撮影した画像情報の中に含まれている駐車領域４４の画像の中にカラーバーコード５０ｆの画像が含まれている。そこで、カラーバーコード５０ｅに表わされている複数色の二次元の配列に関する情報及び、カラーバーコード５０ｆに表わされている複数色の二次元の配列に関する情報から、それぞれ、駐車領域４３の駐車位置５番と、駐車領域４４の駐車位置１０番が空き状態にあると認識する。
【００６５】
そして、その旨の情報を、サーバ装置送受信手段３５、ネットワーク３２を介して基地局情報送受信手段３１へ送る（Ｓ５０６）。
【００６６】
基地局装置２７（図２）では、かかる情報を受け取った場合、図４の画像表示手段２９ａに「駐車領域４３に一台空きがあります」あるいは「駐車領域４３の駐車位置５番が空き」、「駐車領域４４に一台空きがあります」あるいは「駐車領域４４の駐車位置１０番が空き」等の文字情報を表示させる（Ｓ５０７）。
【００６７】
あるいは、音声情報出力手段３０ａにより「駐車領域４３に一台空きがあります」あるいは「駐車領域４３の駐車位置５番が空いています」、「駐車領域４４に一台空きがあります」あるいは「駐車領域４４の駐車位置１０番が空いています」という音声情報を出力させる（Ｓ５０７）。
【００６８】
このように本発明の駐車場管理システムによれば、駐車場の複数の駐車位置に当該駐車位置を特定する情報が複数色の二次元に配列した情報で表わされているカラーバーコードをそれぞれ設置し、各カラーバーコードにおけるそれぞれの複数色の二次元の配列に関する情報と、これによって特定される駐車位置に関する情報との組み合わせに関する情報を本発明の駐車場管理システムを提供している中央のサーバ装置に記憶してもらった後、駐車場の監視用に設置している監視カメラなどで撮影した、複数の駐車位置を同時に撮影している画像情報をネットワークを介して中央のサーバ装置に送信するだけで、中央のサーバ装置から、どの駐車位置が空いている状態にあるのかに関する情報を、正確に、しかも、短時間で取得し、駐車場の所定箇所に配置されている画像情報表示手段や音声情報出力手段を介して駐車場来場者に知らしめることができる。
【００６９】
これにより、新たな設備の設置に大きなコストを要することなく、低コストで、高精度に空き駐車位置に関する情報を駐車場来場者に知らしめることができる。
【符号の説明】
【００７０】
１、２、３、４、５、・・・  駐車位置
２８、２８ａ、２８ｂ、２８ｃ、２８ｄ、２８ｅ  カメラ（撮像手段）
２９  画像情報表示手段
３０  音声情報出力手段
３１  基地局情報送受信手段
３２  ネットワーク
３３  サーバ装置
３４  空き駐車位置認識手段
３５  サーバ装置送受信手段
４２  駐車場
５０、５０ａ、５０ｂ、５０ｃ、・・・、５０ｈ  カラーバーコード
【図１】
2010250394.tif 000003
【図２】
2010250394.tif 000004
【図３】
2010250394.tif 000005
【図４】
2010250394.tif 000006
【図５】
2010250394.tif 000007